【手続補正書】
【提出日】平成26年11月25日(2014.11.25)
【手続補正１】
【補正対象書類名】明細書
【補正対象項目名】０００９
【補正方法】変更
【補正の内容】
【０００９】
検索要求に対応する検索結果の表示を行う検索システムであって、第１の検索要求に対応する検索結果を表示制御する第１の表示制御手段と、第２の検索要求に対応する検索結果を表示制御する第２の表示制御手段と、前記第１の表示制御手段によって表示された検索結果の閲覧状況および、前記第２の表示制御手段によって表示された検索結果の閲覧状況を記憶する閲覧状況記憶手段と、を有し、前記第２の表示制御手段は、前記第１の表示制御手段により前記第１の検索要求に対応する検索結果を表示制御した後に、前記第２の検索要求に対応する検索結果を表示することができ、前記第２の検索要求に対応する検索結果から閲覧された文書が前記第１の検索要求に対応する検索結果では未読となっている場合、当該未読となっている文書の状態を閲覧済みとする既読状態変更手段と、前記表示された前記第１の検索要求に対応する検索結果の閲覧状況を閲覧済みに更新して表示制御する閲覧状況更新手段と、を有することを特徴とする。
【手続補正２】
【補正対象書類名】特許請求の範囲
【補正対象項目名】全文
【補正方法】変更
【補正の内容】
【特許請求の範囲】
【請求項１】
検索要求に対応する検索結果の表示を行う検索システムであって、
第１の検索要求に対応する検索結果を表示制御する第１の表示制御手段と、
第２の検索要求に対応する検索結果を表示制御する第２の表示制御手段と、
前記第１の表示制御手段によって表示された検索結果の閲覧状況および、前記第２の表示制御手段によって表示された検索結果の閲覧状況を記憶する閲覧状況記憶手段と、を有し、
前記第２の表示制御手段は、前記第１の表示制御手段により前記第１の検索要求に対応する検索結果を表示制御した後に、前記第２の検索要求に対応する検索結果を表示することができ、
前記第２の検索要求に対応する検索結果から閲覧された文書が前記第１の検索要求に対応する検索結果では未読となっている場合、当該未読となっている文書の状態を閲覧済みとする既読状態変更手段と、
前記表示された前記第１の検索要求に対応する検索結果の閲覧状況を閲覧済みに更新して表示制御する閲覧状況更新手段と、
を有することを特徴とする検索システム。
【請求項２】
前記第２の表示制御手段は、前記第２の検索要求に対応する検索結果に、前記閲覧状況記憶手段に記憶された前記第１の検索要求に対応する検索結果から閲覧された文書が含まれる場合、前記第２の検索要求に対応する検索結果に含まれる当該文書を、前記第１の検索結果から閲覧されたことを当該第２の検索結果と同一画面上に識別可能に表示することを有することを特徴とする請求項１記載の検索システム。
【請求項３】
前記第２の検索要求に対応する検索結果に、前記閲覧状況記憶手段に記憶された前記第１の検索要求に対応する検索結果の閲覧済み文書が含まれる場合、前記第２の表示制御手段は、当該閲覧済みの文書が検索結果として表示されないよう表示制御することを特徴とする請求項１または２に記載の検索システム。
【請求項４】
前記第１の検索要求に対応する検索結果および前記第２の検索要求に対応する検索結果は、関連する検索として検索された前記検索要求に対応する検索結果であることを特徴とする請求項１乃至３のいずれか１項に記載の検索システム。
【請求項５】
前記関連する検索とは、前記第１の検索要求に対応する検索結果および前記第２の検索要求に対応する検索結果が、タブとして同一画面に表示されているものであることを特徴とする請求項４に記載の検索システム。
【請求項６】
前記第１の検索要求に対応する検索結果に紐付いた第１の画像オブジェクトおよび第２の検索要求に対応する検索結果に紐付いた第２の画像オブジェクトを表示する画像オブジェクト表示制御手段と、
前記第１の画像オブジェクトおよび前記第２の画像オブジェクトを画面上で重なるように制御可能な画像オブジェクト制御手段と、
前記画像オブジェクト制御手段による前記第１および第２の画像オブジェクトの重なりを検知する検知手段と、
前記検知手段により検知したオブジェクトの重なりの論理関係に応じて、前記第１および第２の検索結果間の演算式を作成する演算式作成手段と、
を有することを特徴とする請求項１乃至５のいずれか１項に記載の検索システム。
【請求項７】
検索要求に対応する検索結果の表示を行う検索装置であって、
第１の検索要求に対応する検索結果を表示制御する第１の表示制御手段と、
第２の検索要求に対応する検索結果を表示制御する第２の表示制御手段と、
前記第１の表示制御手段によって表示された検索結果の閲覧状況および、前記第２の表示制御手段によって表示された検索結果の閲覧状況を記憶する閲覧状況記憶手段と、を有し、
前記第２の表示制御手段は、前記第１の表示制御手段により前記第１の検索要求に対応する検索結果を表示制御した後に、前記第２の検索要求に対応する検索結果を表示することができ、
前記第２の検索要求に対応する検索結果から閲覧された文書が前記第１の検索要求に対応する検索結果では未読となっている場合、当該未読となっている文書の状態を閲覧済みとする既読状態変更手段と、
前記表示された前記第１の検索要求に対応する検索結果の閲覧状況を閲覧済みに更新して表示制御する閲覧状況更新手段と、
を有することを特徴とする検索装置。
【請求項８】
検索要求に対応する検索結果の表示を行う検索システムの制御方法であって、
第１の検索要求に対応する検索結果を表示制御する第１の表示制御ステップと、
第２の検索要求に対応する検索結果を表示制御する第２の表示制御ステップと、
前記第１の表示制御手段によって表示された検索結果の閲覧状況および、第２の表示制御ステップによって表示された検索結果の閲覧状況を記憶する閲覧状況記憶ステップを有し、
前記第２の表示制御ステップは、前記第１の表示制御ステップにより前記第１の検索要求に対応する検索結果を表示制御した後に、前記第２の検索要求に対応する検索結果を表示することができ、
前記第２の検索要求に対応する検索結果から閲覧された文書が前記第１の検索要求に対応する検索結果では未読となっている場合、当該未読となっている文書の状態を閲覧済みとする既読状態変更ステップと、
前記表示された前記第１の検索要求に対応する検索結果の閲覧状況を閲覧済みに更新して表示制御する閲覧状況更新ステップと、
を有することを特徴とする検索システムの制御方法。
【請求項９】
検索要求に対応する検索結果の表示を行う検索システムで実行可能なプログラムであってあって、
コンピュータを、
第１の検索要求に対応する検索結果を表示制御する第１の表示制御手段と、
第２の検索要求に対応する検索結果を表示制御する第２の表示制御手段と、
前記第１の表示制御手段によって表示された検索結果の閲覧状況および、前記第２の表示制御手段によって表示された検索結果の閲覧状況を記憶する閲覧状況記憶手段と、を有し、
前記第２の表示制御手段は、前記第１の表示制御手段により前記第１の検索要求に対応する検索結果を表示制御した後に、前記第２の検索要求に対応する検索結果を表示することができ、
前記第２の検索要求に対応する検索結果から閲覧された文書が前記第１の検索要求に対応する検索結果では未読となっている場合、当該未読となっている文書の状態を閲覧済みとする既読状態変更手段と、
前記表示された前記第１の検索要求に対応する検索結果の閲覧状況を閲覧済みに更新して表示制御する閲覧状況更新手段と、を有することを特徴とする検索システムとして機能させるためのプログラム。